(57)【要約】【課題】  裏面側の光源から光が当てられていない場合に表面側に対して複数の図柄のうち光源側の図柄の隠蔽性を向上することができる多層印刷物および多層印刷方法を提供する。【解決手段】  多層印刷物１０は、図柄が印刷される表層３１および裏層３４と、表層３１および裏層３４の間に配置されて表層３１側に対して裏層３４を隠蔽するとともに、表層３１側から入射した光を反射して表層３１側から表層３１を視認させるための白層３２と、白層３２および裏層３４の間に配置されて表層３１側に対して裏層３４を隠蔽するための黒層３３とを含む印刷層群３０が媒体２０に形成されており、黒層３３は、白層３２と同一の厚みで比較した場合に、白層３２より遮光性能が高いことを特徴とする。【選択図】  図２
2019045835.tif 000002
【特許請求の範囲】
【請求項１】
図柄が印刷される第１の図柄印刷層および第２の図柄印刷層と、
前記第１の図柄印刷層および前記第２の図柄印刷層の間に配置されて前記第１の図柄印刷層側に対して前記第２の図柄印刷層を隠蔽するとともに、前記第１の図柄印刷層側から入射した光を反射して前記第１の図柄印刷層側から前記第１の図柄印刷層を視認させるための第１の隠蔽用印刷層と、
前記第１の隠蔽用印刷層および前記第２の図柄印刷層の間に配置されて前記第１の図柄印刷層側に対して前記第２の図柄印刷層を隠蔽するための第２の隠蔽用印刷層とを含む印刷層群が媒体に形成されており、
前記第２の隠蔽用印刷層は、前記第１の隠蔽用印刷層と同一の厚みで比較した場合に、前記第１の隠蔽用印刷層より遮光性能が高いことを特徴とする多層印刷物。
【請求項２】
前記第１の隠蔽用印刷層および前記第２の隠蔽用印刷層は、
前記第１の図柄印刷層側から前記多層印刷物に光が当たっている状態で前記第２の図柄印刷層に対して前記第１の図柄印刷層側とは反対側の光源から前記多層印刷物に光が当てられていない場合に、前記第１の図柄印刷層に対して前記第２の図柄印刷層側とは反対側から前記多層印刷物が視認されるとき、前記第２の図柄印刷層を隠蔽し、
前記第１の図柄印刷層側から前記多層印刷物に当たる光が抑えられている状態で前記光源から前記多層印刷物に光が当てられている場合に、前記第１の図柄印刷層に対して前記第２の図柄印刷層側とは反対側から前記多層印刷物が視認されるとき、前記第２の図柄印刷層を前記光源から当てられた光によって前記第１の図柄印刷層側に透けて見えさせることを特徴とする請求項１に記載の多層印刷物。
【請求項３】
前記第２の隠蔽用印刷層は、前記第１の隠蔽用印刷層より厚みが薄いことを特徴とする請求項１または請求項２に記載の多層印刷物。
【請求項４】
前記第２の隠蔽用印刷層は、黒の層であることを特徴とする請求項１から請求項３までのいずれかに記載の多層印刷物。
【請求項５】
前記第１の隠蔽用印刷層は、白の層であることを特徴とする請求項４に記載の多層印刷物。
【請求項６】
前記第１の隠蔽用印刷層および前記第２の隠蔽用印刷層の少なくとも１つは、前記第１の図柄印刷層に対して一部が積層方向に存在しないことを特徴とする請求項１から請求項５までのいずれかに記載の多層印刷物。
【請求項７】
図柄が印刷される第１の図柄印刷層および第２の図柄印刷層と、
前記第１の図柄印刷層および前記第２の図柄印刷層の間に配置されて前記第１の図柄印刷層側に対して前記第２の図柄印刷層を隠蔽するとともに、前記第１の図柄印刷層側から入射した光を反射して前記第１の図柄印刷層側から前記第１の図柄印刷層を視認させるための第１の隠蔽用印刷層と、
前記第１の隠蔽用印刷層および前記第２の図柄印刷層の間に配置されて前記第１の図柄印刷層側に対して前記第２の図柄印刷層を隠蔽するための第２の隠蔽用印刷層とを含む印刷層群を媒体に形成し、
前記第２の隠蔽用印刷層は、前記第１の隠蔽用印刷層と同一の厚みで比較した場合に、前記第１の隠蔽用印刷層より遮光性能が高いことを特徴とする多層印刷方法。
【請求項８】
前記印刷層群は、前記第１の図柄印刷層を形成するためのインクを吐出するインクジェットヘッドとしての第１のヘッド、前記第１の隠蔽用印刷層を形成するためのインクを吐出するインクジェットヘッドとしての第２のヘッド、前記第２の隠蔽用印刷層を形成するためのインクを吐出するインクジェットヘッドとしての第３のヘッド、および、前記第２の図柄印刷層を形成するためのインクを吐出するインクジェットヘッドとしての第４のヘッドを備えるインクジェットプリンターによって形成され、
前記第１のヘッド、前記第２のヘッド、前記第３のヘッドおよび前記第４のヘッドは、特定の方向における上流から下流に向けて、前記第１のヘッド、前記第２のヘッド、前記第３のヘッド、前記第４のヘッドの順に配設されており、
前記第１のヘッド、前記第２のヘッド、前記第３のヘッドおよび前記第４のヘッドと、前記媒体との一方に対して他方を、前記特定の方向と、前記特定の方向の反対の方向とのうち、いずれか一方の方向のみに相対移動させて、前記印刷層群を形成することを特徴とする請求項７に記載の多層印刷方法。
【請求項９】
前記第１のヘッド、前記第２のヘッド、前記第３のヘッドおよび前記第４のヘッドと、前記媒体との一方に対して他方を主走査方向に相対移動させる際に前記第１のヘッド、前記第２のヘッド、前記第３のヘッドおよび前記第４のヘッドによって前記媒体に向けてインクを吐出させ、
前記第１のヘッド、前記第２のヘッド、前記第３のヘッドおよび前記第４のヘッドは、前記主走査方向とは直交する副走査方向における吐出領域の長さが同一であり、前記副走査方向において前記吐出領域の長さ分ずつずれて配設されており、
前記特定の方向は、前記副走査方向のうちのいずれか一方向であり、
前記第１のヘッド、前記第２のヘッド、前記第３のヘッドおよび前記第４のヘッドによる前記主走査方向における印刷が終了する度に、前記第１のヘッド、前記第２のヘッド、前記第３のヘッドおよび前記第４のヘッドに対して前記媒体を、前記副走査方向における前記吐出領域の長さ分、前記副走査方向のうちの特定の一方向に相対移動させることを特徴とする請求項８に記載の多層印刷方法。
【発明の詳細な説明】
【技術分野】
【０００１】
本発明は、媒体に印刷層群が形成された多層印刷物および多層印刷方法に関する。
【背景技術】
【０００２】
従来、表面および裏面の両方に図柄が印刷された透明または半透明のシートが知られている（例えば、特許文献１参照。）。特許文献１に記載されたシートは、表面側から光が当たっている状態で裏面側の光源から光が当てられていない場合には、主に表面側の図柄が表面側から視認される。一方、特許文献１に記載されたシートは、表面側から当たる光が抑えられている状態で裏面側の光源から光が当てられている場合には、裏面側の図柄が光源から当てられた光によって表面側に透けて見えるので、裏面側の光源から光が当てられていない場合と比較して、裏面側の図柄が表面側から視認され易い。
【先行技術文献】
【特許文献】
【０００３】
【特許文献１】特開２００９−１２８７３４号公報
【発明の概要】
【発明が解決しようとする課題】
【０００４】
しかしながら、特許文献１に記載されたシートにおいては、表面側から光が当たっている状態で裏面側の光源から光が当てられていない場合であっても、裏面側の図柄が表面側に透けて見えているので、裏面側の図柄が表面側から視認されるという問題がある。
【０００５】
そこで、本発明は、裏面側の光源から光が当てられていない場合に表面側に対して複数の図柄のうち光源側の図柄の隠蔽性を向上することができる多層印刷物および多層印刷方法を提供することを目的とする。
【課題を解決するための手段】
【０００６】
本発明の多層印刷物は、図柄が印刷される第１の図柄印刷層および第２の図柄印刷層と、前記第１の図柄印刷層および前記第２の図柄印刷層の間に配置されて前記第１の図柄印刷層側に対して前記第２の図柄印刷層を隠蔽するとともに、前記第１の図柄印刷層側から入射した光を反射して前記第１の図柄印刷層側から前記第１の図柄印刷層を視認させるための第１の隠蔽用印刷層と、前記第１の隠蔽用印刷層および前記第２の図柄印刷層の間に配置されて前記第１の図柄印刷層側に対して前記第２の図柄印刷層を隠蔽するための第２の隠蔽用印刷層とを含む印刷層群が媒体に形成されており、前記第２の隠蔽用印刷層は、前記第１の隠蔽用印刷層と同一の厚みで比較した場合に、前記第１の隠蔽用印刷層より遮光性能が高いことを特徴とする。
【０００７】
この構成により、本発明の多層印刷物は、第１の図柄印刷層および第２の図柄印刷層の間に隠蔽用印刷層を備えるので、第１の図柄印刷層側から光が当たっている状態で第２の図柄印刷層に対して第１の図柄印刷層側とは反対側の光源から光が当てられていない場合に、第１の図柄印刷層に対して第２の図柄印刷層側とは反対側から視認されるとき、第２の図柄印刷層の隠蔽性を向上することができる。すなわち、本発明の多層印刷物は、裏面側の光源から光が当てられていない場合に表面側に対して複数の図柄のうち光源側の図柄の隠蔽性を向上することができる。また、本発明の多層印刷物は、第１の隠蔽用印刷層と、第２の隠蔽用印刷層とを同一の厚みで比較した場合に、第２の隠蔽用印刷層が第１の隠蔽用印刷層より遮光性能が高いので、第１の隠蔽用印刷層のみで隠蔽用印刷層が形成される場合と比較して隠蔽用印刷層全体の厚みを薄くしても、同一の隠蔽性能を得ることができる。すなわち、本発明の多層印刷物は、隠蔽用印刷層全体の厚みを薄くすることができる。したがって、本発明の多層印刷物は、第１の図柄印刷層側から当たる光が抑えられている状態で第２の図柄印刷層に対して第１の図柄印刷層側とは反対側の光源から光が当てられている場合に、光源から当てられた光が隠蔽用印刷層を透過する際に隠蔽用印刷層によって散乱される量を抑えることができ、その結果、第２の図柄印刷層を光源からの光によって第１の図柄印刷層側に鮮明に透けて見えさせることができる。
【０００８】
本発明の多層印刷物において、前記第１の隠蔽用印刷層および前記第２の隠蔽用印刷層は、前記第１の図柄印刷層側から前記多層印刷物に光が当たっている状態で前記第２の図柄印刷層に対して前記第１の図柄印刷層側とは反対側の光源から前記多層印刷物に光が当てられていない場合に、前記第１の図柄印刷層に対して前記第２の図柄印刷層側とは反対側から前記多層印刷物が視認されるとき、前記第２の図柄印刷層を隠蔽し、前記第１の図柄印刷層側から前記多層印刷物に当たる光が抑えられている状態で前記光源から前記多層印刷物に光が当てられている場合に、前記第１の図柄印刷層に対して前記第２の図柄印刷層側とは反対側から前記多層印刷物が視認されるとき、前記第２の図柄印刷層を前記光源から当てられた光によって前記第１の図柄印刷層側に透けて見えさせることを特徴とする。
【０００９】
本発明の多層印刷物において、前記第２の隠蔽用印刷層は、前記第１の隠蔽用印刷層より厚みが薄くても良い。
【００１０】
この構成により、本発明の多層印刷物は、隠蔽用印刷層をインクで印刷する場合に、隠蔽用印刷層を印刷するためのインクの量を低減させることができる。
【００１１】
本発明の多層印刷物において、前記第２の隠蔽用印刷層は、黒の層であっても良い。
【００１２】
この構成により、本発明の多層印刷物は、第２の隠蔽用印刷層が薄くても高い遮光性能を発揮するので、第２の隠蔽用印刷層の厚みを薄くすることができる。
【００１３】
本発明の多層印刷物において、前記第１の隠蔽用印刷層は、白の層であっても良い。
【００１４】
この構成により、本発明の多層印刷物は、第１の隠蔽用印刷層の明度が高いので、第１の図柄印刷層側から光が当たっている状態で第２の図柄印刷層に対して第１の図柄印刷層側とは反対側の光源から光が当てられていない場合に、第１の図柄印刷層に対して第２の図柄印刷層側とは反対側から第１の図柄印刷層が視認されるとき、第１の図柄印刷層によって表される図柄の明度を第１の隠蔽用印刷層の明度によって向上することができる。
【００１５】
本発明の多層印刷物において、前記第１の隠蔽用印刷層および前記第２の隠蔽用印刷層の少なくとも１つは、前記第１の図柄印刷層に対して一部が積層方向に存在しなくても良い。
【００１６】
この構成により、本発明の多層印刷物は、第１の図柄印刷層側から当たる光が抑えられている状態で第２の図柄印刷層に対して第１の図柄印刷層側とは反対側の光源から光が当てられている場合に、第１の隠蔽用印刷層および第２の隠蔽用印刷層の少なくとも１つが第１の図柄印刷層に対して積層方向に存在しない領域を光源からの光が透過し易いので、第１の図柄印刷層側から当たる光が抑えられている状態で第２の図柄印刷層に対して第１の図柄印刷層側とは反対側の光源から光が当てられている場合に、第１の図柄印刷層に対して第２の図柄印刷層側とは反対側から視認されるとき、第１の隠蔽用印刷層および第２の隠蔽用印刷層の少なくとも１つが第１の図柄印刷層に対して積層方向に存在しない領域を強調表示することができる。
【００１７】
本発明の多層印刷方法は、図柄が印刷される第１の図柄印刷層および第２の図柄印刷層と、前記第１の図柄印刷層および前記第２の図柄印刷層の間に配置されて前記第１の図柄印刷層側に対して前記第２の図柄印刷層を隠蔽するとともに、前記第１の図柄印刷層側から入射した光を反射して前記第１の図柄印刷層側から前記第１の図柄印刷層を視認させるための第１の隠蔽用印刷層と、前記第１の隠蔽用印刷層および前記第２の図柄印刷層の間に配置されて前記第１の図柄印刷層側に対して前記第２の図柄印刷層を隠蔽するための第２の隠蔽用印刷層とを含む印刷層群を媒体に形成し、前記第２の隠蔽用印刷層は、前記第１の隠蔽用印刷層と同一の厚みで比較した場合に、前記第１の隠蔽用印刷層より遮光性能が高いことを特徴とする。
【００１８】
この構成により、本発明の多層印刷方法によって製造される多層印刷物は、第１の図柄印刷層および第２の図柄印刷層の間に隠蔽用印刷層を備えるので、第１の図柄印刷層側から光が当たっている状態で第２の図柄印刷層に対して第１の図柄印刷層側とは反対側の光源から光が当てられていない場合に、第１の図柄印刷層に対して第２の図柄印刷層側とは反対側から視認されるとき、第２の図柄印刷層の隠蔽性を向上することができる。すなわち、本発明の多層印刷方法によって製造される多層印刷物は、裏面側の光源から光が当てられていない場合に表面側に対して複数の図柄のうち光源側の図柄の隠蔽性を向上することができる。また、本発明の多層印刷方法によって製造される多層印刷物は、第１の隠蔽用印刷層と、第２の隠蔽用印刷層とを同一の厚みで比較した場合に、第２の隠蔽用印刷層が第１の隠蔽用印刷層より遮光性能が高いので、第１の隠蔽用印刷層のみで隠蔽用印刷層が形成される場合と比較して隠蔽用印刷層全体の厚みを薄くしても、同一の隠蔽性能を得ることができる。すなわち、本発明の多層印刷方法によって製造される多層印刷物は、隠蔽用印刷層全体の厚みを薄くすることができる。したがって、本発明の多層印刷方法によって製造される多層印刷物は、第１の図柄印刷層側から当たる光が抑えられている状態で第２の図柄印刷層に対して第１の図柄印刷層側とは反対側の光源から光が当てられている場合に、光源から当てられた光が隠蔽用印刷層を透過する際に隠蔽用印刷層によって散乱される量を抑えることができ、その結果、第２の図柄印刷層を光源からの光によって第１の図柄印刷層側に鮮明に透けて見えさせることができる。
【００１９】
本発明の多層印刷方法において、前記印刷層群は、前記第１の図柄印刷層を形成するためのインクを吐出するインクジェットヘッドとしての第１のヘッド、前記第１の隠蔽用印刷層を形成するためのインクを吐出するインクジェットヘッドとしての第２のヘッド、前記第２の隠蔽用印刷層を形成するためのインクを吐出するインクジェットヘッドとしての第３のヘッド、および、前記第２の図柄印刷層を形成するためのインクを吐出するインクジェットヘッドとしての第４のヘッドを備えるインクジェットプリンターによって形成され、前記第１のヘッド、前記第２のヘッド、前記第３のヘッドおよび前記第４のヘッドは、特定の方向における上流から下流に向けて、前記第１のヘッド、前記第２のヘッド、前記第３のヘッド、前記第４のヘッドの順に配設されており、前記第１のヘッド、前記第２のヘッド、前記第３のヘッドおよび前記第４のヘッドと、前記媒体との一方に対して他方を、前記特定の方向と、前記特定の方向の反対の方向とのうち、いずれか一方の方向のみに相対移動させて、前記印刷層群を形成しても良い。
【００２０】
この構成により、本発明の多層印刷方法は、インクジェットヘッドに対して媒体を特定の方向と、特定の方向の反対の方向とのうち、いずれか一方の方向のみに相対移動させるだけで、第１の図柄印刷層、第２の図柄印刷層、第１の隠蔽用印刷層および第２の隠蔽用印刷層の４層を同時に印刷することができるので、各印刷層を全領域ずつ順に印刷する方法と比較して、各印刷層同士の位置精度を向上することができ、高品質の多層印刷物を製造することができる。
【００２１】
本発明の多層印刷方法において、前記第１のヘッド、前記第２のヘッド、前記第３のヘッドおよび前記第４のヘッドと、前記媒体との一方に対して他方を主走査方向に相対移動させる際に前記第１のヘッド、前記第２のヘッド、前記第３のヘッドおよび前記第４のヘッドによって前記媒体に向けてインクを吐出させ、前記第１のヘッド、前記第２のヘッド、前記第３のヘッドおよび前記第４のヘッドは、前記主走査方向とは直交する副走査方向における吐出領域の長さが同一であり、前記副走査方向において前記吐出領域の長さ分ずつずれて配設されており、前記特定の方向は、前記副走査方向のうちのいずれか一方向であり、前記第１のヘッド、前記第２のヘッド、前記第３のヘッドおよび前記第４のヘッドによる前記主走査方向における印刷が終了する度に、前記第１のヘッド、前記第２のヘッド、前記第３のヘッドおよび前記第４のヘッドに対して前記媒体を、前記副走査方向における前記吐出領域の長さ分、前記副走査方向のうちの特定の一方向に相対移動させても良い。
【００２２】
この構成により、本発明の多層印刷方法は、インクジェットヘッドに対して媒体を副走査方向における特定の一方向に相対移動させるだけで、第１の図柄印刷層、第２の図柄印刷層、第１の隠蔽用印刷層および第２の隠蔽用印刷層の４層を同時に印刷することができるので、各印刷層を全領域ずつ順に印刷する方法と比較して、各印刷層同士の位置精度を向上することができ、高品質の多層印刷物を製造することができる。
【発明の効果】
【００２３】
本発明の多層印刷物および多層印刷方法は、裏面側の光源から光が当てられていない場合に表面側に対して複数の図柄のうち光源側の図柄の隠蔽性を向上することができる。
【図面の簡単な説明】
【００２４】
【図１】本発明の一実施の形態に係る多層印刷物の平面図である。
【図２】図１に示す多層印刷物の側面図である。
【図３】（ａ）図２に示す表層の平面図である。  （ｂ）図２に示す白層の平面図である。
【図４】（ａ）図２に示す黒層の平面図である。  （ｂ）図２に示す裏層の平面図である。
【図５】図１に示す多層印刷物を備えた表示装置の側面図である。
【図６】表層側から当たる光が抑えられている状態で図５に示す光源から光が当てられている場合の多層印刷物の平面図である。
【図７】図１に示す多層印刷物の製造システムのブロック図である。
【図８】図７に示すコンピューターのブロック図である。
【図９】図１に示す多層印刷物の製造方法のフローチャートである。
【図１０】図８に示すプレビュー実行手段によって実行されるプレビュー画面の一例を示す図である。
【図１１】チェックボックスにチェックが付けられている状態の図１０に示すプレビュー画面の一例を示す図である。
【図１２】図１に示す多層印刷物とは異なる多層印刷物を備えた表示装置の側面図である。
【図１３】図７に示すインクジェットプリンターによる表層、白層、黒層および裏層の印刷方法の一例を示す図である。
【図１４】図７に示すインクジェットプリンターによる表層、白層、黒層および裏層の印刷方法の、図１３に示す例とは異なる一例を示す図である。
【図１５】図７に示すインクジェットプリンターによる表層、白層、黒層および裏層の印刷方法の、図１３および図１４に示す例とは異なる一例を示す図である。
【図１６】図７に示すインクジェットプリンターによって印刷およびカットが実行される場合に、トンボが利用されないときの、多層印刷物の製造方法のフローチャートである。
【図１７】図７に示すインクジェットプリンターによって印刷およびカットが実行される場合に、トンボが利用されるときの、多層印刷物の製造方法のフローチャートである。
【図１８】図７に示すインクジェットプリンターによって印刷が実行された後、インクジェットプリンターとは異なるカッティングプロッターによってカットが実行される場合に、トンボが利用されないときの、多層印刷物の製造方法のフローチャートである。
【図１９】図７に示すインクジェットプリンターによって印刷が実行された後、インクジェットプリンターとは異なるカッティングプロッターによってカットが実行される場合に、トンボが利用されるときの、多層印刷物の製造方法のフローチャートである。
【発明を実施するための形態】
【００２５】
以下、本発明の一実施の形態について、図面を用いて説明する。
【００２６】
まず、本実施の形態に係る多層印刷物の構成について説明する。
【００２７】
図１は、本実施の形態に係る多層印刷物１０の平面図である。図２は、多層印刷物１０の側面図である。
【００２８】
図１および図２に示すように、多層印刷物１０は、媒体２０と、媒体２０に形成されている印刷層群３０とを備えている。
【００２９】
媒体２０は、例えば透明な媒体であっても良いが、不透明な媒体であっても良い。
【００３０】
印刷層群３０は、表層３１と、白の層（以下「白層」という。）３２と、黒の層（以下「黒層」という。）３３と、裏層３４とを含んでいる。
【００３１】
図３（ａ）は、表層３１の平面図である。図３（ｂ）は、白層３２の平面図である。図４（ａ）は、黒層３３の平面図である。図４（ｂ）は、裏層３４の平面図である。
【００３２】
表層３１は、図３（ａ）に示すように図柄を表しており、本発明の第１の図柄印刷層を構成している。
【００３３】
図３（ｂ）に示す白層３２は、図２に示すように、表層３１および裏層３４の間に配置されて表層３１側に対して裏層３４を隠蔽するとともに、表層３１側から入射した光を反射して表層３１側から表層３１を視認させており、本発明の第１の隠蔽用印刷層を構成している。白層３２は、白インクで印刷されている。白層３２は、媒体２０において印刷対象となる全ピクセルに白インクが着弾した場合を１００％とすると、例えば２００％で印刷されている。
【００３４】
図４（ａ）に示す黒層３３は、図２に示すように、白層３２および裏層３４の間に配置されて表層３１側に対して裏層３４を隠蔽しており、本発明の第２の隠蔽用印刷層を構成している。黒層３３は、黒インクで印刷されているので、白インクで印刷されている白層３２と比較して遮光性能が高い。黒層３３は、図２に示すように、表層３１に対して矢印１０ａで示す積層方向に存在していない部分３３ａを備えている。黒層３３は、媒体２０において印刷対象となる全ピクセルに黒インクが着弾した場合を１００％とすると、例えば３０％〜７０％で印刷されている。黒層３３は、白層３２と同一の厚みで比較した場合に、白層３２より遮光性能が高い。
【００３５】
裏層３４は、図４（ｂ）に示すように、図柄を表しており、本発明の第２の図柄印刷層を構成している。
【００３６】
次に、多層印刷物１０を備えた表示装置の構成について説明する。
【００３７】
図５は、多層印刷物１０を備えた表示装置４０の側面図である。
【００３８】
図５に示すように、表示装置４０は、多層印刷物１０と、多層印刷物１０の裏層３４に対して表層３１側とは反対側に配置されている光源５０とを備えている。
【００３９】
表示装置４０は、多層印刷物１０の表層３１に対して裏層３４側とは反対側から、利用者６０によって多層印刷物１０が視認される。
【００４０】
次に、表示装置４０の動作について説明する。
【００４１】
多層印刷物１０は、表層３１側から光が当たっている状態で裏層３４側の光源５０から光が当てられていない場合、図１に示すように、表層３１の図柄が利用者６０によって視認される。
【００４２】
図６は、表層３１側から当たる光が抑えられている状態で裏層３４側の光源５０から光が当てられている場合の多層印刷物１０の平面図である。
【００４３】
多層印刷物１０は、表層３１側から当たる光が抑えられている状態で裏層３４側の光源５０から光が当てられている場合、図６に示すように、裏層３４の図柄が光源５０から当てられた光によって表層３１側に透けて見えるので、表層３１の図柄と、裏層３４の図柄とが合成された図柄が利用者６０によって視認される。
【００４４】
次に、多層印刷物１０の製造システムの構成について説明する。
【００４５】
図７は、多層印刷物１０の製造システム７０のブロック図である。
【００４６】
図７に示すように、製造システム７０は、媒体２０（図２参照。）に印刷を実行するインクジェットプリンター８０と、インクジェットプリンター８０に印刷データを送信するＰＣ（Ｐｅｒｓｏｎａｌ  Ｃｏｍｐｕｔｅｒ）などのコンピューター９０とを備えている。
【００４７】
インクジェットプリンター８０は、ロール状に巻かれた媒体２０に対して印刷を実行することができる例えば株式会社ミマキエンジニアリング製のＵＣＪＶ−３００であっても良いし、他のインクジェットプリンターであっても良い。
【００４８】
図８は、コンピューター９０のブロック図である。
【００４９】
図８に示すように、コンピューター９０は、種々の操作が入力されるキーボード、マウスなどの入力デバイスである操作部９１と、種々の情報を表示するＬＣＤ（Ｌｉｑｕｉｄ  Ｃｒｙｓｔａｌ  Ｄｉｓｐｌａｙ）などの表示デバイスである表示部９２と、ＬＡＮ（Ｌｏｃａｌ  Ａｒｅａ  Ｎｅｔｗｏｒｋ）などのネットワークを介して、または、ネットワークを介さずに有線または無線で直接に、外部の装置と通信を行う通信デバイスである通信部９３と、各種の情報を記憶する半導体メモリー、ＨＤＤ（Ｈａｒｄ  Ｄｉｓｋ  Ｄｒｉｖｅ）などの不揮発性の記憶デバイスである記憶部９４と、コンピューター９０全体を制御する制御部９５とを備えている。
【００５０】
記憶部９４は、画像データを生成するための画像データ生成プログラム９４ａと、多層印刷物のプレビューを実行するためのプレビュー実行プログラム９４ｂと、印刷データを生成するための印刷データ生成プログラム９４ｃとを記憶している。画像データ生成プログラム９４ａ、プレビュー実行プログラム９４ｂおよび印刷データ生成プログラム９４ｃは、それぞれ、コンピューター９０の製造段階でコンピューター９０にインストールされていても良いし、ＵＳＢ（Ｕｎｉｖｅｒｓａｌ  Ｓｅｒｉａｌ  Ｂｕｓ）メモリー、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）などの外部の記憶媒体からコンピューター９０に追加でインストールされても良いし、ネットワーク上からコンピューター９０に追加でインストールされても良い。
【００５１】
制御部９５は、例えば、ＣＰＵ（Ｃｅｎｔｒａｌ  Ｐｒｏｃｅｓｓｉｎｇ  Ｕｎｉｔ）と、プログラムおよび各種のデータを予め記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部９４に記憶されているプログラムを実行するようになっている。
【００５２】
制御部９５は、画像データ生成プログラム９４ａを実行することによって、表層３１、白層３２、黒層３３および裏層３４のそれぞれの画像データを生成する画像データ生成手段９５ａを実現する。制御部９５は、プレビュー実行プログラム９４ｂを実行することによって、画像データ生成手段９５ａによって生成された画像データに基づいて印刷される多層印刷物のプレビューを実行するプレビュー実行手段９５ｂを実現する。制御部９５は、印刷データ生成プログラム９４ｃを実行することによって、画像データ生成手段９５ａによって生成された画像データに基づいた印刷データを生成する印刷データ生成手段９５ｃを実現する。
【００５３】
次に、多層印刷物１０の製造方法、すなわち、多層印刷方法について説明する。
【００５４】
図９は、多層印刷物１０の製造方法のフローチャートである。
【００５５】
図９に示すように、作業者は、コンピューター９０に画像データ生成プログラム９４ａを実行させて、表層３１、白層３２、黒層３３および裏層３４のそれぞれの画像データの生成を操作部９１から指示する（Ｓ１０１）。したがって、画像データ生成手段９５ａは、操作部９１を介した指示に応じて表層３１、白層３２、黒層３３および裏層３４のそれぞれの画像データを生成する。
【００５６】
作業者は、Ｓ１０１の工程の後、コンピューター９０にプレビュー実行プログラム９４ｂを実行させて、Ｓ１０１において生成された画像データに基づいて印刷される多層印刷物のプレビューの実行を操作部９１から指示する（Ｓ１０２）。したがって、プレビュー実行手段９５ｂは、Ｓ１０１において生成された画像データに基づいて印刷される多層印刷物のプレビューを実行する。
【００５７】
図１０は、プレビュー実行手段９５ｂによって実行されるプレビュー画面１１０の一例を示す図である。
【００５８】
図１０に示すプレビュー画面１１０は、画像データに基づいて印刷される多層印刷物のプレビューが表示されるプレビュー領域１１１と、画像データに基づいて印刷される多層印刷物が図５に示すような表示装置４０に使用された場合に光源５０から光が当てられたときの多層印刷物のプレビューを表示するか否かが選択されるチェックボックス１１２とを含んでいる。
【００５９】
図１０に示すプレビュー画面１１０は、チェックボックス１１２にチェックが付けられていない状態のプレビュー画面１１０である。したがって、図１０に示すプレビュー領域１１１には、表層３１側から光が当たっている状態で裏層３４側の光源５０から光が当てられていない場合の多層印刷物のプレビューが表示されている。
【００６０】
図１１は、チェックボックス１１２にチェックが付けられている状態のプレビュー画面１１０の一例を示す図である。
【００６１】
図１１に示すプレビュー画面１１０は、チェックボックス１１２にチェックが付けられている状態のプレビュー画面１１０である。したがって、図１１に示すプレビュー領域１１１には、表層３１側から当たる光が抑えられている状態で裏層３４側の光源５０から光が当てられている場合の多層印刷物のプレビューが表示されている。
【００６２】
図９に示すように、作業者は、Ｓ１０２におけるプレビューの結果、画像データの修正が必要であるか否かを判断する（Ｓ１０３）。
【００６３】
作業者は、画像データの修正が必要であるとＳ１０３において判断すると、Ｓ１０１の工程を実行する。
【００６４】
作業者は、画像データの修正が必要ではないとＳ１０３において判断すると、コンピューター９０に印刷データ生成プログラム９４ｃを実行させて、Ｓ１０１において生成された画像データに基づいた印刷を操作部９１から指示する（Ｓ１０４）。したがって、印刷データ生成手段９５ｃは、Ｓ１０１において生成された画像データに基づいた印刷データを生成し、生成した印刷データをインクジェットプリンター８０に送信する。インクジェットプリンター８０は、コンピューター９０から送信されてきた印刷データを受信すると、受信した印刷データに基づいて媒体２０に印刷層群３０を形成する。すなわち、インクジェットプリンター８０は、媒体２０に裏層３４、黒層３３、白層３２、表層３１を順に印刷することによって、図５に示す多層印刷物１０を製造する。
【００６５】
なお、インクジェットプリンター８０は、媒体２０に表層３１、白層３２、黒層３３、裏層３４を順に印刷することによって、図１２に示す多層印刷物１２０を製造することも可能である。
【００６６】
図１３は、インクジェットプリンター８０による表層３１、白層３２、黒層３３および裏層３４の印刷方法の一例を示す図である。
【００６７】
図１３に示すインクジェットプリンター８０は、インクを吐出するインクジェットヘッド８１〜８６を備えている。インクジェットヘッド８１〜８６は、シリアルヘッド方式用のインクジェットヘッドである。インクジェットヘッド８１〜８６によって吐出されるインクの色は、それぞれ、シアン、マゼンタ、イエロー、ブラック（黒）、ホワイト（白）、ホワイト（白）である。
【００６８】
表層３１および裏層３４は、主に、インクジェットヘッド８１〜８４によって吐出されるインクによって印刷される。白層３２は、インクジェットヘッド８５および８６によって吐出されるインクによって印刷される。黒層３３は、インクジェットヘッド８４によって吐出されるインクによって印刷される。
【００６９】
インクジェットヘッド８１〜８６は、キャリッジ８７に搭載されていて、キャリッジ８７が媒体２０に対して相対移動させられることによって、媒体２０に対して相対移動させられる。
【００７０】
図１３に示すインクジェットプリンター８０は、インクジェットヘッド８１〜８６および媒体２０の一方に対して他方を矢印８０ａで示す主走査方向に相対移動させる際に、インクジェットヘッド８１〜８６によって媒体２０に向けてインクを吐出させる。
【００７１】
図１３に示すインクジェットプリンター８０は、インクジェットヘッド８１〜８６によって媒体２０に向けてインクを吐出させる場合に、インクジェットヘッド８１〜８６におけるインクの吐出領域のうち、主走査方向とは直交する矢印８０ｂに示す副走査方向のうちの矢印８０ｃに示す方向における上流側から下流側への１／４の領域ずつ、順に、裏層３４の印刷用の領域８１ａ、８２ａ、８３ａ、８４ａ、８５ａおよび８６ａ、黒層３３の印刷用の領域８１ｂ、８２ｂ、８３ｂ、８４ｂ、８５ｂおよび８６ｂ、白層３２の印刷用の領域８１ｃ、８２ｃ、８３ｃ、８４ｃ、８５ｃおよび８６ｃ、表層３１の印刷用の領域８１ｄ、８２ｄ、８３ｄ、８４ｄ、８５ｄおよび８６ｄとする。
【００７２】
なお、上述したように、白層３２がインクジェットヘッド８５および８６によって吐出されるインクによって印刷されるので、領域８１ｃ、８２ｃ、８３ｃおよび８４ｃは、実際には使用されない。同様に、黒層３３がインクジェットヘッド８４によって吐出されるインクによって印刷されるので、領域８１ｂ、８２ｂ、８３ｂ、８５ｂおよび８６ｂは、実際には使用されない。
【００７３】
インクジェットヘッド８１〜８４のうちの領域８１ｄ、８２ｄ、８３ｄおよび８４ｄは、本発明の第１のヘッドを構成している。インクジェットヘッド８５および８６のうちの領域８５ｃおよび８６ｃは、本発明の第２のヘッドを構成している。インクジェットヘッド８４のうちの領域８４ｂは、本発明の第３のヘッドを構成している。インクジェットヘッド８１〜８４のうちの領域８１ａ、８２ａ、８３ａおよび８４ａは、本発明の第４のヘッドを構成している。領域８１ｄ、８２ｄ、８３ｄおよび８４ｄと、領域８５ｃおよび８６ｃと、領域８４ｂと、領域８１ａ、８２ａ、８３ａおよび８４ａとは、矢印８０ｃに示す方向の反対の方向、すなわち、特定の方向における上流から下流に向けて、この順に配設されている。
【００７４】
図１３に示すインクジェットプリンター８０は、インクジェットヘッド８１〜８６による主走査方向における印刷が終了する度に、インクジェットヘッド８１〜８６に対して媒体２０を、例えば、副走査方向における吐出領域の長さ８０ｄの１／１６の長さ分、矢印８０ｃに示す方向に相対移動させることによって、図５に示す多層印刷物１０を製造することができる。
【００７５】
なお、図１３に示すインクジェットプリンター８０は、インクジェットヘッド８１〜８６による主走査方向における印刷が終了する度に、インクジェットヘッド８１〜８６に対して媒体２０を長さ８０ｄの１／１６の長さ分、矢印８０ｃに示す方向に相対移動させる場合、表層３１、白層３２、黒層３３および裏層３４のそれぞれに対して、任意の箇所をインクジェットヘッド８１〜８６による主走査方向における４回の印刷、すなわち、４パスで完成させることになる。したがって、図１３に示すインクジェットプリンター８０は、多層印刷物１０における任意の箇所の印刷を１６パスで完成させることになる。しかしながら、図１３に示すインクジェットプリンター８０は、表層３１、白層３２、黒層３３および裏層３４のそれぞれの任意の箇所の印刷を完成させるパス数として、４パス以外のパス数を採用しても良い。
【００７６】
図１３に示すインクジェットプリンター８０は、インクジェットヘッド８１〜８６による主走査方向における印刷が終了する度に、インクジェットヘッド８１〜８６に対して媒体２０を例えば長さ８０ｄの１／１６の長さ分、矢印８０ｃに示す方向とは反対方向に相対移動させることによって、図１２に示す多層印刷物１２０を製造することができる。
【００７７】
図１４は、インクジェットプリンター８０による表層３１、白層３２、黒層３３および裏層３４の印刷方法の、図１３に示す例とは異なる一例を示す図である。
【００７８】
図１４に示すインクジェットプリンター８０は、インクを吐出するインクジェットヘッド１８１〜１９１を備えている。インクジェットヘッド１８１〜１９１は、シリアルヘッド方式用のインクジェットヘッドである。インクジェットヘッド１８１〜１９１によって吐出されるインクの色は、それぞれ、シアン、マゼンタ、イエロー、ブラック（黒）、ブラック（黒）、ホワイト（白）、ホワイト（白）、シアン、マゼンタ、イエロー、ブラック（黒）である。インクジェットヘッド１８１〜１９１によって吐出されるインクは、紫外線が照射されることによって硬化するＵＶインクである。
【００７９】
図１４に示すインクジェットプリンター８０は、インクジェットヘッド１８１〜１９１によって吐出されたインクに紫外線を照射するための紫外線照射装置１９２および紫外線照射装置１９３を備えている。紫外線照射装置１９２および紫外線照射装置１９３は、矢印８０ａで示す主走査方向においてインクジェットヘッド１８１〜１９１を挟む位置に配置されている。
【００８０】
裏層３４は、インクジェットヘッド１８１〜１８４によって吐出されるインクによって印刷される。黒層３３は、インクジェットヘッド１８５によって吐出されるインクによって印刷される。白層３２は、インクジェットヘッド１８６および１８７によって吐出されるインクによって印刷される。表層３１は、インクジェットヘッド１８８〜１９１によって吐出されるインクによって印刷される。
【００８１】
インクジェットヘッド１８８〜１９１は、本発明の第１のヘッドを構成している。インクジェットヘッド１８６および１８７は、本発明の第２のヘッドを構成している。インクジェットヘッド１８５は、本発明の第３のヘッドを構成している。インクジェットヘッド１８１〜１８４は、本発明の第４のヘッドを構成している。インクジェットヘッド１８８〜１９１と、インクジェットヘッド１８６および１８７と、インクジェットヘッド１８５と、インクジェットヘッド１８１〜１８４とは、矢印８０ｃに示す方向の反対の方向、すなわち、特定の方向における上流から下流に向けて、この順に配設されている。
【００８２】
インクジェットヘッド１８１〜１９１、紫外線照射装置１９２および紫外線照射装置１９３は、キャリッジ１９４に搭載されていて、キャリッジ１９４が媒体２０に対して相対移動させられることによって、媒体２０に対して相対移動させられる。
【００８３】
図１４に示すインクジェットプリンター８０による多層印刷物１０および多層印刷物１２０の製造方法は、基本的には、図１３に示すインクジェットプリンター８０による多層印刷物１０および多層印刷物１２０の製造方法と同様である。ただし、図１４に示すインクジェットプリンター８０では、インクジェットヘッド１８１〜１９１によって吐出されたインクは、媒体２０側に着弾した直後に、紫外線照射装置１９２および紫外線照射装置１９３のうち、媒体２０に対するキャリッジ１９４の主走査方向における相対移動の方向における上流側の紫外線照射装置によって紫外線が照射されて硬化させられる。
【００８４】
図１５は、インクジェットプリンター８０による表層３１、白層３２、黒層３３および裏層３４の印刷方法の、図１３および図１４に示す例とは異なる一例を示す図である。
【００８５】
図１５に示すインクジェットプリンター８０は、インクを吐出するインクジェットヘッド２８１〜２９１を備えている。インクジェットヘッド２８１〜２９１は、ラインヘッド方式用のインクジェットヘッドである。インクジェットヘッド２８１〜２９１によって吐出されるインクの色は、それぞれ、シアン、マゼンタ、イエロー、ブラック（黒）、ブラック（黒）、ホワイト（白）、ホワイト（白）、シアン、マゼンタ、イエロー、ブラック（黒）である。インクジェットヘッド２８１〜２９１によって吐出されるインクは、紫外線が照射されることによって硬化するＵＶインクである。
【００８６】
図１５に示すインクジェットプリンター８０は、インクジェットヘッド２８１〜２９１によって吐出されたインクに紫外線を照射するための紫外線照射装置２９２〜２９６を備えている。紫外線照射装置２９２および紫外線照射装置２９３は、矢印８０ｂに示す方向においてインクジェットヘッド２８１〜２８４を挟む位置に配置されている。紫外線照射装置２９３および紫外線照射装置２９４は、矢印８０ｂに示す方向においてインクジェットヘッド２８５を挟む位置に配置されている。紫外線照射装置２９４および紫外線照射装置２９５は、矢印８０ｂに示す方向においてインクジェットヘッド２８６および２８７を挟む位置に配置されている。紫外線照射装置２９５および紫外線照射装置２９６は、矢印８０ｂに示す方向においてインクジェットヘッド２８８〜２９１を挟む位置に配置されている。
【００８７】
裏層３４は、インクジェットヘッド２８１〜２８４によって吐出されるインクによって印刷される。黒層３３は、インクジェットヘッド２８５によって吐出されるインクによって印刷される。白層３２は、インクジェットヘッド２８６および２８７によって吐出されるインクによって印刷される。表層３１は、インクジェットヘッド２８８〜２９１によって吐出されるインクによって印刷される。
【００８８】
インクジェットヘッド２８８〜２９１は、本発明の第１のヘッドを構成している。インクジェットヘッド２８６および２８７は、本発明の第２のヘッドを構成している。インクジェットヘッド２８５は、本発明の第３のヘッドを構成している。インクジェットヘッド２８１〜２８４は、本発明の第４のヘッドを構成している。インクジェットヘッド２８８〜２９１と、インクジェットヘッド２８６および２８７と、インクジェットヘッド２８５と、インクジェットヘッド２８１〜２８４とは、矢印８０ｃに示す方向の反対の方向、すなわち、特定の方向における上流から下流に向けて、この順に配設されている。
【００８９】
インクジェットヘッド２８１〜２９１および紫外線照射装置２９２〜２９６は、互いの相対的な位置が固定されている。
【００９０】
図１５に示すインクジェットプリンター８０は、多層印刷物１０を製造する場合、インクジェットヘッド２８１〜２９１および紫外線照射装置２９２〜２９６に対して媒体２０を矢印８０ｃで示す方向に相対移動させる際に、インクジェットヘッド２８１〜２９１によって媒体２０に向けてインクを吐出させる。なお、図１５に示すインクジェットプリンター８０では、多層印刷物１０を製造する場合、インクジェットヘッド２８１〜２８４によって吐出されたインク、インクジェットヘッド２８５によって吐出されたインク、インクジェットヘッド２８６および２８７によって吐出されたインク、インクジェットヘッド２８８〜２９１によって吐出されたインクは、媒体２０側に着弾した直後に、それぞれ、紫外線照射装置２９３、２９４、２９５、２９６によって紫外線が照射されて硬化させられる。
【００９１】
図１５に示すインクジェットプリンター８０は、多層印刷物１２０を製造する場合、インクジェットヘッド２８１〜２９１および紫外線照射装置２９２〜２９６に対して媒体２０を矢印８０ｃで示す方向とは反対方向に相対移動させる際に、インクジェットヘッド２８１〜２９１によって媒体２０に向けてインクを吐出させる。なお、図１５に示すインクジェットプリンター８０では、多層印刷物１２０を製造する場合、インクジェットヘッド２８１〜２８４によって吐出されたインク、インクジェットヘッド２８５によって吐出されたインク、インクジェットヘッド２８６および２８７によって吐出されたインク、インクジェットヘッド２８８〜２９１によって吐出されたインクは、媒体２０側に着弾した直後に、それぞれ、紫外線照射装置２９２、２９３、２９４、２９５によって紫外線が照射されて硬化させられる。
【００９２】
インクジェットプリンター８０による表層３１、白層３２、黒層３３および裏層３４の印刷方法は、図１３〜図１５に示す方法以外の方法であっても良い。
【００９３】
以上においては、コンピューター９０によって生成された印刷データに基づいて、インクジェットプリンター８０によって媒体２０に印刷層群を形成することによって、多層印刷物を製造する方法について説明している。ここで、多層印刷物は、カッティングプロッターによって媒体２０のうち多層印刷物以外の部分から切り離されても良い。以下においては、媒体２０にインクジェットプリンター８０によって印刷層群を形成した後、カッティングプロッターによって多層印刷物を媒体２０のうち多層印刷物以外の部分から切り離すことによって、多層印刷物を製造する方法について説明する。
【００９４】
まず、インクジェットプリンター８０がカッティングプロッターの機能を備えている場合に、インクジェットプリンター８０によって印刷およびカットが実行されるときの、多層印刷物の製造方法について説明する。
【００９５】
図１６は、インクジェットプリンター８０によって印刷およびカットが実行される場合に、カットの位置合わせ用のトンボが利用されないときの、多層印刷物の製造方法のフローチャートである。
【００９６】
図１６に示すように、作業者は、多層印刷物の印刷データをコンピューター９０によって作成し（Ｓ３０１）、Ｓ３０１において作成した印刷データに合わせて多層印刷物のカットデータをコンピューター９０によって作成する（Ｓ３０２）。次いで、作業者は、Ｓ３０１において作成した印刷データと、Ｓ３０２において作成したカットデータとをコンピューター９０によって合成することによって印刷カットデータを作成し（Ｓ３０３）、Ｓ３０３において作成した印刷カットデータをコンピューター９０によってインクジェットプリンター８０に送信する（Ｓ３０４）。
【００９７】
インクジェットプリンター８０は、Ｓ３０４においてコンピューター９０から送信されてきた印刷カットデータを受信すると、媒体２０における原点位置を記憶する（Ｓ３０５）。
【００９８】
次いで、インクジェットプリンター８０は、印刷カットデータのうちの印刷データに基づいて、媒体２０への印刷層群の印刷を開始し（Ｓ３０６）、媒体２０への印刷層群の印刷が終了したと判断するまで、媒体２０への印刷層群の印刷が終了したか否かを判断する（Ｓ３０７）。
【００９９】
インクジェットプリンター８０は、媒体２０への印刷層群の印刷が終了したとＳ３０７において判断すると、印刷層群の印刷によって媒体２０を搬送した分だけ媒体２０を戻すために、Ｓ３０５において記憶していた原点位置に基づいて媒体２０を移動させる（Ｓ３０８）。
【０１００】
次いで、インクジェットプリンター８０は、印刷カットデータのうちのカットデータに基づいて、カッティングプロッターの機能によって媒体２０のカットを開始し（Ｓ３０９）、カットデータに基づいたカットが終了したと判断するまで、カットデータに基づいたカットが終了したか否かを判断する（Ｓ３１０）。
【０１０１】
カットデータに基づいたカットが終了したとＳ３１０においてインクジェットプリンター８０によって判断されると、媒体２０のうち多層印刷物以外の部分から切り離された多層印刷物が製造される。
【０１０２】
図１７は、インクジェットプリンター８０によって印刷およびカットが実行される場合に、トンボが利用されるときの、多層印刷物の製造方法のフローチャートである。
【０１０３】
図１７に示すように、作業者は、多層印刷物の印刷データをコンピューター９０によって作成し（Ｓ３２１）、Ｓ３２１において作成した印刷データに合わせて多層印刷物のカットデータをコンピューター９０によって作成する（Ｓ３２２）。次いで、作業者は、Ｓ３２２において作成したカットデータに合わせたトンボを、Ｓ３２１において作成した印刷データにコンピューター９０によって付加する（Ｓ３２３）。次いで、作業者は、Ｓ３２３においてトンボを付加した印刷データと、Ｓ３２２において作成したカットデータとをコンピューター９０によって合成することによって印刷カットデータを作成し（Ｓ３２４）、Ｓ３２４において作成した印刷カットデータをコンピューター９０によってインクジェットプリンター８０に送信する（Ｓ３２５）。
【０１０４】
インクジェットプリンター８０は、Ｓ３２５においてコンピューター９０から送信されてきた印刷カットデータを受信すると、媒体２０における原点位置を記憶する（Ｓ３２６）。
【０１０５】
次いで、インクジェットプリンター８０は、印刷カットデータのうちの印刷データに基づいて、媒体２０への印刷層群およびトンボの印刷を開始し（Ｓ３２７）、媒体２０への印刷層群およびトンボの印刷が終了したと判断するまで、媒体２０への印刷層群およびトンボの印刷が終了したか否かを判断する（Ｓ３２８）。
【０１０６】
インクジェットプリンター８０は、媒体２０への印刷層群およびトンボの印刷が終了したとＳ３２８において判断すると、印刷層群およびトンボの印刷によって媒体２０を搬送した分だけ媒体２０を戻すために、Ｓ３２６において記憶していた原点位置に基づいて媒体２０を移動させる（Ｓ３２９）。
【０１０７】
次いで、インクジェットプリンター８０は、媒体２０に印刷されているトンボを読み取り（Ｓ３３０）、Ｓ３３０において読み取ったトンボの位置に応じて、印刷カットデータのうちのカットデータに基づいて、カッティングプロッターの機能によって媒体２０のカットを開始し（Ｓ３３１）、カットデータに基づいたカットが終了したと判断するまで、カットデータに基づいたカットが終了したか否かを判断する（Ｓ３３２）。
【０１０８】
カットデータに基づいたカットが終了したとＳ３３２においてインクジェットプリンター８０によって判断されると、媒体２０のうち多層印刷物以外の部分から切り離された多層印刷物が製造される。
【０１０９】
次に、インクジェットプリンター８０によって印刷が実行された後、インクジェットプリンター８０とは異なるカッティングプロッターによってカットが実行される場合の、多層印刷物の製造方法について説明する。
【０１１０】
図１８は、インクジェットプリンター８０によって印刷が実行された後、インクジェットプリンター８０とは異なるカッティングプロッターによってカットが実行される場合に、トンボが利用されないときの、多層印刷物の製造方法のフローチャートである。
【０１１１】
図１８に示すように、作業者は、多層印刷物の印刷データをコンピューター９０によって作成し（Ｓ３４１）、Ｓ３４１において作成した印刷データに合わせて多層印刷物のカットデータをコンピューター９０によって作成する（Ｓ３４２）。次いで、作業者は、Ｓ３４１において作成した印刷データをコンピューター９０によってインクジェットプリンター８０に送信する（Ｓ３４３）。
【０１１２】
インクジェットプリンター８０は、Ｓ３４３においてコンピューター９０から送信されてきた印刷データを受信すると、印刷データに基づいて媒体２０への印刷層群の印刷を開始し（Ｓ３４４）、媒体２０への印刷層群の印刷が終了したと判断するまで、媒体２０への印刷層群の印刷が終了したか否かを判断する（Ｓ３４５）。
【０１１３】
媒体２０への印刷層群の印刷が終了したとＳ３４５においてインクジェットプリンター８０によって判断されると、作業者は、インクジェットプリンター８０によって印刷層群が印刷された媒体２０を、インクジェットプリンター８０から取り出して、インクジェットプリンター８０とは異なるカッティングプロッターにセットする（Ｓ３４６）。ここで、作業者は、媒体２０における原点位置がカッティングプロッターにおける特定の位置に合うように、媒体２０を適切にカッティングプロッターにセットする。
【０１１４】
次いで、作業者は、Ｓ３４２において作成したカットデータをコンピューター９０によってカッティングプロッターに送信する（Ｓ３４７）。
【０１１５】
カッティングプロッターは、Ｓ３４７においてコンピューター９０から送信されてきたカットデータを受信すると、カットデータに基づいて媒体２０のカットを開始し（Ｓ３４８）、カットデータに基づいたカットが終了したと判断するまで、カットデータに基づいたカットが終了したか否かを判断する（Ｓ３４９）。
【０１１６】
カットデータに基づいたカットが終了したとＳ３４９においてカッティングプロッターによって判断されると、媒体２０のうち多層印刷物以外の部分から切り離された多層印刷物が製造される。
【０１１７】
図１９は、インクジェットプリンター８０によって印刷が実行された後、インクジェットプリンター８０とは異なるカッティングプロッターによってカットが実行される場合に、トンボが利用されるときの、多層印刷物の製造方法のフローチャートである。
【０１１８】
図１９に示すように、作業者は、多層印刷物の印刷データをコンピューター９０によって作成し（Ｓ３６１）、Ｓ３６１において作成した印刷データに合わせて多層印刷物のカットデータをコンピューター９０によって作成する（Ｓ３６２）。次いで、作業者は、Ｓ３６２において作成したカットデータに合わせたトンボを、Ｓ３６１において作成した印刷データにコンピューター９０によって付加する（Ｓ３６３）。次いで、作業者は、Ｓ３６３においてトンボを付加した印刷データをコンピューター９０によってインクジェットプリンター８０に送信する（Ｓ３６４）。
【０１１９】
インクジェットプリンター８０は、Ｓ３６４においてコンピューター９０から送信されてきた印刷データを受信すると、印刷データに基づいて、媒体２０への印刷層群およびトンボの印刷を開始し（Ｓ３６５）、媒体２０への印刷層群およびトンボの印刷が終了したと判断するまで、媒体２０への印刷層群およびトンボの印刷が終了したか否かを判断する（Ｓ３６６）。
【０１２０】
媒体２０への印刷層群およびトンボの印刷が終了したとＳ３６６においてインクジェットプリンター８０によって判断されると、作業者は、インクジェットプリンター８０によって印刷層群およびトンボが印刷された媒体２０を、インクジェットプリンター８０から取り出して、インクジェットプリンター８０とは異なるカッティングプロッターにセットする（Ｓ３６７）。ここで、作業者は、媒体２０における原点位置がカッティングプロッターにおける特定の位置に合うように、媒体２０を適切にカッティングプロッターにセットする。
【０１２１】
次いで、作業者は、Ｓ３６２において作成したカットデータをコンピューター９０によってカッティングプロッターに送信する（Ｓ３６８）。
【０１２２】
カッティングプロッターは、媒体２０に印刷されているトンボを読み取り（Ｓ３６９）、Ｓ３６９において読み取ったトンボの位置に応じて、カットデータに基づいて媒体２０のカットを開始し（Ｓ３７０）、カットデータに基づいたカットが終了したと判断するまで、カットデータに基づいたカットが終了したか否かを判断する（Ｓ３７１）。
【０１２３】
カットデータに基づいたカットが終了したとＳ３７１においてカッティングプロッターによって判断されると、媒体２０のうち多層印刷物以外の部分から切り離された多層印刷物が製造される。
【０１２４】
以上に説明したように、多層印刷物１０および多層印刷物１２０は、表層３１および裏層３４の間に隠蔽用印刷層としての白層３２および黒層３３を備えるので、表層３１側から光が当たっている状態で裏層３４に対して表層３１側とは反対側の光源５０から光が当てられていない場合に、表層３１に対して裏層３４側とは反対側から、すなわち、光源５０側とは反対側から利用者６０によって視認されるとき、裏層３４の隠蔽性を向上することができる。すなわち、多層印刷物１０および多層印刷物１２０は、裏面側の光源５０から光が当てられていない場合に表面側に対して複数の図柄のうち光源５０側の図柄の隠蔽性を向上することができる。
【０１２５】
多層印刷物１０および多層印刷物１２０は、白層３２と、黒層３３とを同一の厚みで比較した場合に、黒層３３が白層３２より遮光性能が高いので、白層３２のみで隠蔽用印刷層が形成される場合と比較して隠蔽用印刷層全体の厚みを薄くしても、同一の隠蔽性能を得ることができる。すなわち、多層印刷物１０および多層印刷物１２０は、隠蔽用印刷層全体の厚みを薄くすることができる。したがって、多層印刷物１０および多層印刷物１２０は、表層３１側から当たる光が抑えられている状態で裏層３４に対して表層３１側とは反対側の光源５０から光が当てられている場合に、光源５０から当てられた光が隠蔽用印刷層を透過する際に隠蔽用印刷層によって散乱される量を抑えることができ、その結果、裏層３４を光源５０からの光によって表層３１側に鮮明に透けて見えさせることができる。例えば、多層印刷物１０および多層印刷物１２０は、表層３１側から当たる光が抑えられている状態で裏層３４に対して表層３１側とは反対側の光源５０から光が当てられている場合に、裏層３４における図柄の輪郭を光源５０からの光によって表層３１側に鮮明に透けて見えさせることができる。
【０１２６】
多層印刷物１０および多層印刷物１２０は、材質の遮光性能が異なる２つの隠蔽用印刷層、すなわち、白層３２および黒層３３を備えるので、２つの隠蔽用印刷層の材質のうち遮光性能が低い白層３２の材質、すなわち、白インクのみで隠蔽用印刷層が形成される場合と比較して隠蔽用印刷層全体の厚みを薄くしても、同一の隠蔽性能を得ることができる。したがって、多層印刷物１０および多層印刷物１２０は、隠蔽用印刷層全体の厚みを薄くすることによって、例えば、隠蔽用印刷層を印刷するためのインクの量を低減させることができる。また、多層印刷物１０および多層印刷物１２０は、隠蔽用印刷層の印刷方法によっては、隠蔽用印刷層全体の厚みを薄くすることによって、隠蔽用印刷層の印刷時間を短縮することもできる。例えば、媒体２０に対するインクジェットヘッド８１〜８６の副走査方向における位置が同一の位置である場合に、媒体２０に対するインクジェットヘッド８１〜８６の主走査方向への相対移動の回数、すなわち、パス数を増やすことによって、インクジェットヘッド８１〜８６から媒体２０に向けて吐出されるインクの量を増やす印刷方法であるときには、隠蔽用印刷層全体の厚みを薄くすること、すなわち、インクジェットヘッド８１〜８６から媒体２０に向けて吐出されるインクの量を減らすことによって、隠蔽用印刷層の印刷時間を短縮することができる。
【０１２７】
なお、多層印刷物１０および多層印刷物１２０は、裏層３４側の隠蔽用印刷層（以下「裏層側隠蔽用印刷層」という。）の遮光性能が低過ぎると、利用者６０側からの光、すなわち、環境光が当てられた場合に、利用者６０によって裏層３４の図柄が視認され易い。また、多層印刷物１０および多層印刷物１２０は、裏層側隠蔽用印刷層の遮光性能が高過ぎると、光源５０から光が当てられても、光源５０側とは反対側から利用者６０によって裏層３４の図柄が視認し難い。したがって、多層印刷物１０および多層印刷物１２０は、裏層側隠蔽用印刷層の黒の濃度が低過ぎず、高過ぎない適度な濃度であることが好ましい。例えば、多層印刷物１０および多層印刷物１２０は、媒体２０の厚みを薄くする場合、光源５０からの光を媒体２０が透し易くなるので、裏層側隠蔽用印刷層の黒の濃度を高くすることが好ましい。また、多層印刷物１０および多層印刷物１２０は、利用者６０側からの光、すなわち、環境光が強くなる場合、利用者６０によって裏層３４の図柄が視認し易くなるので、裏層側隠蔽用印刷層の黒の濃度を高くすることが好ましい。
【０１２８】
多層印刷物１０および多層印刷物１２０は、表層３１側から当たる光が抑えられている状態で裏層３４側の光源５０から光が当てられている場合に、黒層３３が表層３１に対して積層方向に存在しない領域１０ｂ（図６参照。）を光源５０からの光が透過し易いので、表層３１側から当たる光が抑えられている状態で裏層３４側の光源５０から光が当てられている場合に、光源５０側とは反対側から利用者６０によって視認されるとき、黒層３３が表層３１に対して積層方向に存在しない領域１０ｂを強調表示することができる。
【０１２９】
なお、多層印刷物１０および多層印刷物１２０は、本実施の形態において、表層３１に対して積層方向に存在しない部分３３ａが黒層３３に存在する。しかしながら、多層印刷物１０および多層印刷物１２０は、表層３１に対して積層方向に存在しない部分が白層３２に存在しても良い。
【０１３０】
多層印刷物１０および多層印刷物１２０は、裏層側隠蔽用印刷層が黒層３３であり、裏層側隠蔽用印刷層が薄くても高い遮光性能を発揮するので、裏層側隠蔽用印刷層の厚みを薄くすることができる。なお、多層印刷物１０および多層印刷物１２０は、裏層側隠蔽用印刷層が黒でなくても良い。
【０１３１】
多層印刷物１０および多層印刷物１２０は、表層３１側の隠蔽用印刷層（以下「表層側隠蔽用印刷層」という。）が白層３２であり、表層側隠蔽用印刷層の明度が高いので、表層３１側から光が当たっている状態で裏層３４側の光源５０から光が当てられていない場合に、光源５０側とは反対側から利用者６０によって表層３１が視認されるとき、表層３１によって表される図柄の明度を表層側隠蔽用印刷層の明度によって向上することができる。なお、多層印刷物１０および多層印刷物１２０は、表層側隠蔽用印刷層が白でなくても良い。
【０１３２】
多層印刷物１０および多層印刷物１２０は、裏層側隠蔽用印刷層の材質の遮光性能が表層側隠蔽用印刷層の材質の遮光性能より高いので、表層側隠蔽用印刷層の明度を裏層側隠蔽用印刷層より高くすることができる。多層印刷物１０および多層印刷物１２０は、表層側隠蔽用印刷層である白層３２の明度が裏層側隠蔽用印刷層である黒層３３より高いので、表層３１側から光が当たっている状態で裏層３４側の光源５０から光が当てられていない場合に、光源５０側とは反対側から利用者６０によって表層３１が視認されるとき、表層３１によって表される図柄の明度を白層３２の明度によって向上することができる。
【０１３３】
多層印刷物１０および多層印刷物１２０において、裏層側隠蔽用印刷層は、表層側隠蔽用印刷層と同一の厚みで比較した場合に、裏層側隠蔽用印刷層より遮光性能が高く、光の反射性能が低い。遮光性能や光の反射性能の違いは、材質の違いによって実現されることができるし、たとえ同じ材質であっても構造の違いによって実現されることもできる。ここで、構造の違いとは、例えば、インクに含まれる粒子の大きさや含有率の違いである。
【０１３４】
図１３〜図１５に示す多層印刷方法は、それぞれ、インクジェットヘッド８１〜８６、インクジェットヘッド１８１〜１９１、インクジェットヘッド２８１〜２９１に対して媒体２０を矢印８０ｂで示す副走査方向における特定の一方向に相対移動させるだけで、表層３１、白層３２、黒層３３および裏層３４の４層を同時に印刷することができるので、各印刷層を全領域ずつ順に印刷する方法と比較して、各印刷層同士の位置精度を向上することができ、高品質の多層印刷物１０および多層印刷物１２０を製造することができる。
【０１３５】
本実施の形態においては、多層印刷物の印刷方法としてインクジェット印刷が用いられている。しかしながら、多層印刷物の印刷方法は、インクジェット印刷以外の印刷方法であっても良い。
【符号の説明】
【０１３６】
１０  多層印刷物
１０ａ  矢印（積層方向を示す矢印）
２０  媒体
３０  印刷層群
３１  表層（第１の図柄印刷層）
３２  白層（第１の隠蔽用印刷層）
３３  黒層（第２の隠蔽用印刷層）
３３ａ  部分（第１の図柄印刷層に対して積層方向に存在しない部分）
３４  裏層（第２の図柄印刷層）
８０  インクジェットプリンター
８０ａ  矢印（主走査方向を示す矢印）
８０ｂ  矢印（副走査方向を示す矢印）
８０ｃ  矢印（副走査方向のうちの特定の一方向を示す矢印、特定の方向の反対の方向を示す矢印）
８１〜８６  インクジェットヘッド
８１ａ、８２ａ、８３ａ、８４ａ  領域（第４のヘッド）
８４ｂ  領域（第３のヘッド）
８５ｃ、８６ｃ  領域（第２のヘッド）
８１ｄ、８２ｄ、８３ｄ、８４ｄ  領域（第１のヘッド）
１２０  多層印刷物
１８１〜１８４  インクジェットヘッド（第４のヘッド）
１８５  インクジェットヘッド（第３のヘッド）
１８６〜１８７  インクジェットヘッド（第２のヘッド）
１８８〜１９１  インクジェットヘッド（第１のヘッド）
２８１〜２８４  インクジェットヘッド（第４のヘッド）
２８５  インクジェットヘッド（第３のヘッド）
２８６〜２８７  インクジェットヘッド（第２のヘッド）
２８８〜２９１  インクジェットヘッド（第１のヘッド）
【図１】
2019045835.tif 000003
【図２】
2019045835.tif 000004
【図３】
2019045835.tif 000005
【図４】
2019045835.tif 000006
【図５】
2019045835.tif 000007
【図６】
2019045835.tif 000008
【図７】
2019045835.tif 000009
【図８】
2019045835.tif 000010
【図９】
2019045835.tif 000011
【図１０】
2019045835.tif 000012
【図１１】
2019045835.tif 000013
【図１２】
2019045835.tif 000014
【図１３】
2019045835.tif 000015
【図１４】
2019045835.tif 000016
【図１５】
2019045835.tif 000017
【図１６】
2019045835.tif 000018
【図１７】
2019045835.tif 000019
【図１８】
2019045835.tif 000020
【図１９】
2019045835.tif 000021